(57)【要約】【課題】ホットスティックを使用して間接活線作業する際に、作業者への負担を経費をそれほどかけることなく軽減する。【解決手段】電柱間に架設された電線にホットスティック１を使用して間接活線作業を施す際、ホットスティック１の基端部９を上方に開口する凹部２７の底面２７ａに当接保持する保持具本体２１と、保持具本体２１を作業者の腹部に対応するように取り付ける取付手段３１（支持部材３３、フック３７）とでホットスティック保持具１９を構成する。【選択図】図４
2007129882.tif 000002
【特許請求の範囲】
【請求項１】
上方に開口する凹部を有し、電柱間に架設された電線にホットスティックを使用して間接活線作業を施す際、該ホットスティックの基端部を上記凹部の底面に当接保持する保持具本体と、
該保持具本体を作業者の腹部に対応するように取り付ける取付手段とを備えていることを特徴とするホットスティック保持具。
【請求項２】
請求項１に記載のホットスティック保持具であって、
上記取付手段は、上記保持具本体を支持する支持部材と、該支持部材の両端に設けられ作業者の腰部に巻かれたベルトに掛脱可能に掛合するフックとからなることを特徴とするホットスティック保持具。
【請求項３】
請求項１に記載のホットスティック保持具であって、
上記取付手段は、上記保持具本体を支持する支持部材と、両端が該支持部材の両端に連結され、中途部が作業者の首部に掛けられる長尺帯状体とからなることを特徴とするホットスティック保持具。
【請求項４】
請求項１に記載のホットスティック保持具であって、
上記取付手段は、作業者の腰部に巻かれるベルトからなり、上記保持具本体の上部には上記ベルトを挿通する挿通部が設けられていることを特徴とするホットスティック保持具。
【請求項５】
請求項１乃至４のいずれか１項に記載のホットスティック保持具であって、
上記保持具本体の凹部は、後壁と、該後壁から前方に延出する底壁と、該底壁の延出端部から上方に延出し上記後壁と対向する前壁と、上記後壁、底壁及び前壁を連結する左右の側壁とで構成され、上記両側壁は前壁が下端を支点として前方に傾動するように伸縮可能に構成されていることを特徴とするホットスティック保持具。
【請求項６】
請求項１乃至５のいずれか１項に記載のホットスティック保持具であって、
上記保持具本体は、凹部を上下に複数個有することを特徴とするホットスティック保持具。
【発明の詳細な説明】
【技術分野】
【０００１】
この発明は、電柱間に架設された電線にホットスティックを使用して間接活線作業を施す際、ホットスティックが作業者に与える負担を軽減するためのホットスティック保持具に関するものである。
【背景技術】
【０００２】
一般に、電柱間に架設された電線に対し被覆を剥ぎ取ったり、接続したり又は切り離したりする作業を施す際には、作業時においても電線に通電したままの状態で作業を行う活線作業を行っている。このような活線作業として、作業者が感電防止のために絶縁衣、絶縁手袋、絶縁長靴及び保安帽等の絶縁保護被服を着用して直接電線に触れて作業を行う直接活線作業がある。
【０００３】
しかし、活線作業は高所で行われることも多く落下の危険性があり、さらには、感電の恐れもあることから着用する絶縁保護具は大掛かりで作業の効率を低下させる原因ともなっていた。
【０００４】
そこで、近年においては、ホットスティックを使用した間接活線作業が主流となっている。このようなホットスティックは、駆動源を内蔵した棒状のホットスティック本体を備え、該ホットスティック本体の先端部には作業内容に応じて交換可能な作業用工具が上記駆動源に接続されるように設けられるとともに、基端部側には作業者が持つ取手部と上記作業用工具を操作する操作部とが設けられ、上記基端部側は電気的に絶縁されている。そして、一方の手でホットスティックの取手部を持ち、他方の手で操作部を操作して間接活線作業を行っている（例えば、特許文献１参照）。この際、ホットスティックの基端部を作業者の腹部に当接させて支えながら作業をすることも多い。
【０００５】
また、作業車の作業台に器具を用いてホットスティックを保持させて作業を行う方法もある（例えば、特許文献２参照）。
【０００６】
上記のようにホットスティックを使用すると、保安帽以外の絶縁保護被服の着用が不要となって着脱の手間が省けるとともに、軽装備で作業することができるため、特に気温の高い日の間接活線作業であっても作業者の疲労を軽減することができる。さらに、直接電線に触れて作業を行わないので感電の心配もなく、ホットスティックの届く範囲であれば作業車や作業台を必要としないため作業効率がよい。また、ホットスティックの先端部に設ける作業用工具は作業内容に応じて交換可能であるため、さまざまな措置を必要とする電線に間接活線作業を施す際には便利である。さらに、作業台にホットスティックを保持させて作業を行うと作業者の負担を軽減することができる。
【特許文献１】特開平７−２２２３１７号公報（段落０００６欄、０００７欄、図１、図２）
【特許文献２】特開２０００−１８８８０８号公報（段落０００５欄、０００６欄、図１）
【発明の開示】
【発明が解決しようとする課題】
【０００７】
しかし、特許文献１のようなホットスティックを使用しての間接活線作業が長時間に及ぶ場合、一方の手でホットスティックの取手部を持つとともに基端部を作業者の腹部に当てて支えると、ホットスティックの荷重が作業者に大きく圧し掛かり疲労困憊する。とはいえ、特許文献２のように、作業車の作業台等に器具を用いてホットスティックを保持させて間接活線作業を行う場合には、複雑な構造の器具が必要な分だけコストが高くつくことになる。
【０００８】
この発明はかかる点に鑑みてなされたものであり、その目的とするところは、ホットスティックを使用して間接活線作業する際に、作業者への負担を経費をそれほどかけることなく軽減することである。
【課題を解決するための手段】
【０００９】
上記の目的を達成するため、この発明は、ホットスティックの基端部を作業者の腹部に直接当接しないようにしたことを特徴とする。
【００１０】
具体的には、請求項１に記載の発明は、上方に開口する凹部を有し、電柱間に架設された電線にホットスティックを使用して間接活線作業を施す際、該ホットスティックの基端部を上記凹部の底面に当接保持する保持具本体と、該保持具本体を作業者の腹部に対応するように取り付ける取付手段とを備えていることを特徴とする。
【００１１】
請求項２に記載の発明は、請求項１に記載の発明において、上記取付手段は、上記保持具本体を支持する支持部材と、該支持部材の両端に設けられ作業者の腰部に巻かれたベルトに掛脱可能に掛合するフックとからなることを特徴とする。
【００１２】
請求項３に記載の発明は、請求項１に記載の発明において、上記取付手段は、上記保持具本体を支持する支持部材と、両端が該支持部材の両端に連結され、中途部が作業者の首部に掛けられる長尺帯状体とからなることを特徴とする。
【００１３】
請求項４に記載の発明は、請求項１に記載の発明において、上記取付手段は、作業者の腰部に巻かれるベルトからなり、上記保持具本体の上部には上記ベルトを挿通する挿通部が設けられていることを特徴とする。
【００１４】
請求項５に記載の発明は、請求項１乃至４のいずれか１項に記載の発明において、上記保持具本体の凹部は、後壁と、該後壁から前方に延出する底壁と、該底壁の延出端部から上方に延出し上記後壁と対向する前壁と、上記後壁、底壁及び前壁を連結する左右の側壁とで構成され、上記両側壁は前壁が下端を支点として前方に傾動するように伸縮可能に構成されていることを特徴とする。
【００１５】
請求項６に記載の発明は、請求項１乃至５のいずれか１項に記載の発明において、上記保持具本体は、凹部を上下に複数個有することを特徴とする。
【発明の効果】
【００１６】
請求項１に係る発明によれば、電柱間に架設された電線にホットスティックを使用して間接活線作業を施す際に、ホットスティックの基端部をホットスティック保持具を介して作業者の腹部に対応するように保持するので、ホットスティックを作業者の腹部に直接当接させる場合に比べてホットスティックの荷重が大きく圧し掛かることがなく、作業者の負担を軽減することができる。また、ホットスティックの荷重がホットスティック保持具を介して腰部全体にかかるので荷重を分散することができ、このことによっても作業者の負担を軽減することができる。さらに、保持具本体に凹部を形成するだけの簡素な構造なので経費がそれほどかからず、ホットスティック保持具を安価に提供することができる。
【００１７】
請求項２に係る発明によれば、フックを作業者のベルトに掛合させたり、外したりするだけでホットスティック保持具を簡単に取り扱うことができる。
【００１８】
請求項３に係る発明によれば、長尺帯状体を作業者の首部に掛けたり外したりするだけでホットスティック保持具を簡単に取り扱うことができる。
【００１９】
請求項４に係る発明によれば、既存の作業ベルトを取付手段として利用できるので便利である。
【００２０】
請求項５に係る発明によれば、ホットスティックで間接活線作業を施す際に、保持具本体の前壁を目的の作業箇所の高さに応じてホットスティックの基端部で押さえて前方に傾動することで、ホットスティックを高さの異なる作業箇所に自在に位置付けることができ、作業性が向上する。
【００２１】
請求項６に係る発明によれば、ホットスティックで間接活線作業を施す際に、複数個の凹部を目的の作業箇所の高さに応じて選択することで、ホットスティックを高さの異なる作業箇所に適正に位置付けることができ、作業性が向上する。
【発明を実施するための最良の形態】
【００２２】
以下、この発明の実施形態について図面に基づいて説明する。
【００２３】
（実施形態１）
図１及び図２は作業者Ｍが地上でホットスティック１を使用して、電柱（図示せず）間に架設された電線３に間接活線作業を施している状態を示す。上記ホットスティック１は、駆動源を内蔵した棒状のホットスティック本体５を備え、該ホットスティック本体５の先端部には作業内容に応じて交換可能な作業用工具７が上記駆動源に接続されるように設けられるとともに、基端部９側には作業者Ｍが持つ取手部１１と上記作業用工具７を操作する操作部１３とが設けられ、上記基端部９側は電気的に絶縁されている。そして、一方の手でホットスティック１の取手部１１を持ち、他方の手で操作部１３を操作して間接活線作業を行う。
【００２４】
作業者Ｍは、作業時の安全を確保するために作業服、安全帽及び手袋等を着用し、腰部には工具袋１５等が取り付けられた作業ベルト１７を巻いている。上記作業ベルト１７には実施形態１に係るホットスティック保持具１９が作業者Ｍの腹部に対応するように取り付けられている。
【００２５】
上記ホットスティック保持具１９は、図３及び図４に示すように、皮製の保持具本体２１を備え、該保持具本体２１は、使用時に作業者Ｍの身体側に位置する後壁２３と前方側に位置する前壁２５とからなり、上記後壁２３の上端近傍から下端にかけての領域における両側端縁部及び下端縁部に、上記前壁２５の両側端縁部及び下端縁部を前側に膨出するように縫い付けている。また、前壁２５の上端縁部２５ａ近傍を後壁２３側に折り曲げて後壁２３の中程に前壁２５の上端縁部２５ａ中央を縫い付けている。この際、前壁２５の上端縁部２５ａ近傍の折曲起点が上記縫付位置より上方に位置させることで上方に開口する凹部２７を形成し、該凹部２７の底面２７ａにホットスティック１の基端部９を当接保持するようにしている。さらに、上記後壁２３の上端部分は裏面側に折り曲げられて後壁２３の裏面側に縫い付けられ、後壁２３の裏面側に後述する支持部材３３を挿通する閉断面形状の挿通部２９が形成されている。
【００２６】
上記取付手段３１は、作業者Ｍの腹部に対して横長に配置され可撓性のプラスチック製短尺板材からなる支持部材３３を備え、該支持部材３３は上記保持具本体２１の挿通部２９に挿通され保持具本体２１を支持するようになっている。上記支持部材３３の両端には、図３（ｂ）に拡大して示すように、筒状部３５が一体に取り付けられ、該筒状部３５にＪ字状のフック３７の基端部が挿入されている。上記筒状部３５及びフック３７の先端部は滑止材３９で覆われている。そして、ホットスティック保持具１９を使用する際には、上記フック３７を作業者Ｍの腰部に巻かれた作業ベルト１７に掛脱可能に掛合するようになっている。この状態で、上記保持具本体２１は取付手段３１によって作業者Ｍの腹部に対応するように取り付けられる。また、上記筒状部３５及びフック３７の滑止材３９で作業ベルト１７を両側から挟んでホットスティック保持具１９が脱落しないようにしている。そして、電柱間に架設された電線３にホットスティック１を使用して間接活線作業を施す際には、上記作業者Ｍの腰部に巻かれた作業ベルト１７にフック３７を掛合してホットスティック保持具１９を作業者Ｍの腰部に対応するように取り付け、作業者Ｍは、ホットスティック１の基端部９を保持具本体２１の凹部２７の底面２７ａに当接保持させて、左手でホットスティック１の取手部１１を持ち、右手で操作部１３を操作して作業をする。
【００２７】
このように、電柱間に架設された電線３にホットスティック１を使用して間接活線作業を施す際に、ホットスティック１の基端部９をホットスティック保持具１９を介して作業者Ｍの腹部に対応するように保持するので、ホットスティック１を作業者Ｍの腹部に直接当接させる場合に比べてホットスティック１の荷重が大きく圧し掛かることがなく、作業者Ｍの負担を軽減することができる。また、ホットスティック１の荷重がホットスティック保持具１９を介して腰部全体にかかるので荷重を分散することができ、このことによっても作業者Ｍの負担を軽減することができる。さらに、保持具本体２１に凹部２７を形成するだけの簡素な構造なので複雑で高価な器具を必要とせず、経費がそれほどかからず、ホットスティック保持具１９を安価に提供することができる。また、フック３７を作業者Ｍの作業ベルト１７に掛合させたり、外したりするだけでホットスティック保持具１９を簡単に取り扱うことができる。
【００２８】
なお、上記フック３７の代わりに図５に示すようなバネ付き挟み具４１を採用し、該バネ付き挟み具４１で作業ベルト１７を挟むことによりホットスティック保持具１９を作業者Ｍの腰部に対応するように取り付けてもよい。
【００２９】
さらに、図３，４に仮想線で示すように、板部４３を凹部２７の底面２７ａ下方近傍に対応するように後壁２３から前壁２５側に突設し板部４３を支え部４５で安定支持するようにしてもよい。このようにすると、凹部２７の底面２７ａでホットスティック１の基端部９を当接保持する際の荷重を板部４３及び支え部４５で受けて保持性能を高めることができる。
【００３０】
（実施形態２）
図６乃至図８は、この発明の実施形態２に係るホットスティック保持具１９を示す。実施形態２では、保持具本体２１の構造が実施形態１と異なるだけで、取付手段３１は実施形態１と同一に構成されているので、以下構造の異なる保持具本体２１についてのみ説明し、取付手段３１については同一の符号を付して詳細な説明を省略する。
【００３１】
すなわち、上記保持具本体２１は、使用時に作業者Ｍの身体側に位置する後壁２３と、該後壁２３から前方に延出する底壁４７と、上記後壁２３と対向する前壁２５と、上記後壁２３、底壁４７及び前壁２５を連結する左右の側壁４９とで構成され、これらにより囲まれる内側に凹部２７が形成されている。また、後壁２３の上端部分は裏面側に折り曲げられ、後壁２３の裏面側に支持部材３３を挿通する下方に開放された挿通部２９が形成されている。本例では、上記後壁２３、前壁２５及び底壁４７は例えば金属板で形成されている。これに対し、上記両側壁４９は弾性を有するゴムなどの板状体で形成されて後壁２３、底壁４７及び前壁２５にビスなどで固定され、前壁２５が下端を支点として前方に傾動するように伸縮可能に構成されている。さらに、前壁２５の下端及び底壁４７の延出端部も弾性を有するゴムなどの細長い板状体５１がビスなどで固定され、前壁２５が前方に傾動する際に前壁２５下端を支点に傾動するようになっている。また、前壁２５の上端縁部中央には略半円形の膨出部２５ｂが形成され、ホットスティック１の基端部９寄りを上記膨出部２５ｂにあてがってホットスティック１が位置ずれしないようになっている。
【００３２】
したがって、実施形態２では、実施形態１と同様の作用効果を奏することができることに加えて、ホットスティック１で間接活線作業を施す際に、ホットスティック１を前方に倒して保持具本体２１の前壁２５を自在に傾動させることにより、ホットスティック１の角度を目的の作業箇所の高さに合わせることができ、作業性を向上させることができる。
【００３３】
（実施形態３）
図９及び図１０は、この発明の実施形態３に係るホットスティック保持具１９を示す。実施形態３では、実施形態２の凹部２７が上下に２個間隔をあけて形成され、それに伴い後壁２３が上下に長くなっている。この長い後壁２３に対して、底壁４７、前壁２５及び左右の側壁４９を上下２箇所にそれぞれ設けることで凹部２７を上下に間隔をあけて２個形成している。取付手段３１は実施形態２と同一に構成されている。
【００３４】
したがって、実施形態３では、実施形態１，２と同様の作用効果を奏することができることに加えて、ホットスティック１で活線作業を施す際に、目的の作業箇所の高さに合わせてホットスティック１を適正に位置させて支えることができ、作業性が向上する。
【００３５】
（実施形態４）
図１１は、この発明の実施形態４に係るホットスティック保持具１９を示す。実施形態４では、実施形態３における支持部材３３両端にフック３７に代えて長尺帯状体５３の両端が連結されている。そして、この帯状体５３の中途部を作業者Ｍの首部に掛けるようにしている。その他は実施形態３と同一に構成されている。なお、支持部材３３の両端にはさらにフック（図示せず）を取り付て作業者Ｍの作業ベルト１７に掛合するようにしてもよい。
【００３６】
したがって、実施形態４では、実施形態１，２と同様の作用効果を奏することができることに加えて、帯状体５３を作業者Ｍの首部に掛けたり外したりするだけでホットスティック保持具１９を簡単に取り扱うことができる。
【００３７】
（実施形態５）
図１２は、この発明の実施形態５に係るホットスティック保持具１９を示す。実施形態５では、取付手段３１を、作業者Ｍの腰部に巻かれるベルトで構成している。その他は、実施形態３と同一に構成されている。上記ベルトは作業者Ｍが常時着用している作業ベルト１７であってもよく、専用のベルト５５であってもよい。
【００３８】
したがって、実施形態５では、実施形態１，２と同様の作用効果を奏することができることに加えて、既存の作業ベルトを取付手段として利用できるので便利である。なお、ベルト５５の左右前側に作業者Ｍの首部に掛けられる帯状体５３の両端を実施形態４のように連結することもでき、この場合には、腰部の他に首部でも支えることができるので作業者の負担をより軽減することができる。
【産業上の利用可能性】
【００３９】
この発明は、電柱間に架設された電線にホットスティックを使用して間接活線作業を施す際、ホットスティックが作業者に与える負担を軽減するためのホットスティック保持具について有用である。
【図面の簡単な説明】
【００４０】
【図１】実施形態１に係るホットスティック保持具の使用状態図である。
【図２】図１における作業者の腰部周りの拡大図である。
【図３】実施形態１に係るホットスティック保持具を示し、（ａ）は正面図、（ｂ）はフックの基端側部分を一部破断して示す拡大図である。
【図４】図３の左側面図である。
【図５】実施形態１のフックの代替例であるバネ付き挟み具を示す図である。
【図６】実施形態２に係るホットスティック保持具の正面図である。
【図７】図６のＡ−Ａ線に相当する断面図である。
【図８】図６のＢ−Ｂ線に相当する断面図である。
【図９】実施形態３に係るホットスティック保持具の正面図である。
【図１０】図９のＣ−Ｃ線における断面図である
【図１１】実施形態４に係るホットスティック保持具の正面図である。
【図１２】実施形態５に係るホットスティック保持具の正面図である。
【符号の説明】
【００４１】
１        ホットスティック
３        電線
５        ホットスティック本体
９        基端部
１９        ホットスティック保持具
２１        保持具本体
２３        後壁
２５        前壁
２５ａ      上端縁部
２７        凹部
２７ａ      底面
２９        挿通部
３１        取付手段
３３        支持部材
３７        フック
５３        帯状体
５５        ベルト
Ｍ        作業者
【図１】
2007129882.tif 000003
【図２】
2007129882.tif 000004
【図３】
2007129882.tif 000005
【図４】
2007129882.tif 000006
【図５】
2007129882.tif 000007
【図６】
2007129882.tif 000008
【図７】
2007129882.tif 000009
【図８】
2007129882.tif 000010
【図９】
2007129882.tif 000011
【図１０】
2007129882.tif 000012
【図１１】
2007129882.tif 000013
【図１２】
2007129882.tif 000014